(57)【要約】【課題】  同一の操作部を操作することによって、止水及び吐水操作と流量調整操作の両方を行うことができる開閉弁装置及びそれを備えた水栓装置を提供する。【解決手段】  本発明は、本発明は、止水状態と吐水状態を切り替え且つ吐水流量を調整することができる開閉弁装置（２０）であって、使用者の操作により、平行移動及び回転可能な操作部（２２）と、この操作部の操作により平行に移動され、止水状態と吐水状態を切り替える主弁体（３４）と、この主弁体が着座する弁座（３０ａ）と、吐水状態となったとき主弁体と当接して主弁体と弁座の間の間隔を規制する流量調整部材（３６）と、操作部の回転操作により、流量調整部材を移動させる流量調整部材移動機構（２６、２８）と、を有することを特徴としている。【選択図】      図５
2005264979.tif 000002
【特許請求の範囲】
【請求項１】
止水状態と吐水状態を切り替え且つ吐水流量を調整することができる開閉弁装置であって、
使用者の操作により、平行移動及び回転可能な操作部と、
この操作部の操作により平行に移動され、止水状態と吐水状態を切り替える主弁体と、
この主弁体が着座する弁座と、
吐水状態となったとき上記主弁体と当接して上記主弁体と上記弁座の間の間隔を規制する流量調整部材と、
上記操作部の回転操作により、上記流量調整部材を移動させる流量調整部材移動機構と、
を有することを特徴とする開閉弁装置。
【請求項２】
止水状態と吐水状態を切り替え且つ吐水流量を調整することができる開閉弁装置であって、
圧力開放穴を備え、止水状態と吐水状態を切り替える主弁体と、
この主弁体が着座する弁座と、
使用者の操作により、上記圧力開放穴を開閉するパイロット弁と、
このパイロット弁によって上記圧力開放穴が閉鎖されると、内部の圧力が上昇して、上記主弁体を上記弁座の方へ移動させる圧力室と、
この圧力室の内部に配置され、吐水状態となったとき上記主弁体と当接して上記主弁体と上記弁座の間の距離を規制する流量調整部材と、
この流量調整部材を、使用者の操作により上記圧力室内で移動させる流量調整部材移動機構と、
を有することを特徴とする開閉弁装置。
【請求項３】
さらに、操作部を有し、この操作部が押圧操作されると、上記パイロット弁が平行移動されて上記圧力開放穴が開閉され、上記操作部が回転操作されると、上記流量調整部材移動機構を介して上記流量調整部材が移動される請求項２記載の開閉弁装置。
【請求項４】
上記流量調整部材移動機構が、上記圧力室の外部から内部へ延び、且つ上記圧力室の内部で上記流量調整部材と係合する操作力伝達部材を有し、この操作力伝達部材を回転させると、上記流量調整部材が、上記操作力伝達部材の回転の軸線方向に平行移動される請求項３記載の開閉弁装置。
【請求項５】
上記操作力伝達部材は、上記操作部が回転操作されたとき上記操作部と共に回転されて上記流量調整部材を移動させ、また、上記操作力伝達部材は、上記操作部が押圧操作されたときには移動されないように、直接的又は間接的に上記操作部と連結されている請求項４記載の開閉弁装置。
【請求項６】
請求項１乃至５の何れか１項に記載の開閉弁装置と、
この開閉弁装置を受け入れる水栓本体と、
この水栓本体と連通する吐水口を備えたスパウト部又はシャワーヘッドと、
を有することを特徴とする水栓装置。
【発明の詳細な説明】
【技術分野】
【０００１】
本発明は、開閉弁装置に関し、特に、吐水流量を調整することができる開閉弁装置及びそれを備えた水栓装置に係る。
【背景技術】
【０００２】
最近、押し釦の操作により止水と吐水を切り替えるプッシュ式の水栓装置が普及し始めている。これらの水栓装置に使用されている開閉弁装置の多くは、吐水時の流量は固定されており、吐水流量を調整することはできない。特開２００１−９８５９６号公報には、吐止水操作部を押すことにより吐水と止水を切り替え、流調操作部を回転させることにより流量を調整することができる吐水装置（開閉弁装置）が記載されている。
【０００３】
図１５は、特開２００１−９８５９６号公報に記載の吐水装置の断面図である。図１５に示すように、吐水装置１００は、本体１０２と、本体１０２に取り付けられた主弁体１０４と、主弁体１０４に設けられた圧力開放穴１０４ａを閉鎖するパイロット弁１０６と、パイロット弁１０６を上下に移動させるパイロット弁駆動機構１０７及び吐止水操作部１０８と、主弁体１０４を押えるスリーブ１０９と、を有する。さらに、吐水装置１００は、流量調整部材１１０と、流量調整部材１１０を上下に移動させるための流調操作部１１２と、を有する。
【０００４】
また、主弁体１０４の上方には圧力室形成部材１０５が配置され、主弁体１０４と圧力室形成部材１０５との間に圧力室が形成される。主弁体１０４には、本体１０２の流入側と圧力室とを連通させる連通孔１０４ｂが形成されている。また、吐止水操作部１０８を押圧操作すると、パイロット弁１０６はパイロット弁駆動機構１０７によって上下に移動され、主弁体１０４の圧力開放穴１０４ａが開閉される。流量調整部材１１０は、圧力室の内部から外部へ延びるように配置され、流調操作部１１２を回転操作するとネジ機構により上下に移動されるように構成されている。
【０００５】
止水状態においては、パイロット弁１０６が圧力開放穴１０４ａを閉鎖しているため、本体１０２の上流側から連通孔１０４ｂを通って圧力室内に流入した水が圧力室内に溜まるので、圧力室内の圧力が高くなり、主弁体１０４が下方の弁座に押し付けられて止水される。次に、吐止水操作部１０８を押すと、パイロット弁駆動機構１０７によってパイロット弁１０６は上方に引き上げられ、圧力開放穴１０４ａが開放される。圧力開放穴１０４ａが開放されると、圧力室内の圧力は低下するので、主弁体１０４を弁座に押し付ける力は作用しなくなり、主弁体１０４が開放されて吐水状態となる。吐水状態においては、主弁体１０４は、上方に上がり、流量調整部材１１０の下端に当接した位置に止まる。
【０００６】
流量調整部材１１０は、流調操作部１１２を回転操作することによって上下に移動されるので、流量調整部材１１０が上方に位置する場合には、主弁体１０４は大きく移動して弁座と主弁体１０４との間隔が広くなる。これに対して、流量調整部材１１０が下方に位置する場合には、上方にあまり移動しない位置で流量調整部材１１０に当接するので、弁座と主弁体１０４との間隔は狭くなる。従って、吐水状態における主弁体１０４の位置は、流量調整部材１１０の位置によって規制され、吐水時における流量が流量調整部材１１０によって調整される。
【０００７】
【特許文献１】特開２００１−９８５９６号公報
【発明の開示】
【発明が解決しようとする課題】
【０００８】
しかしながら、特開２００１−９８５９６号公報記載の吐水装置では、止水及び吐水を行う操作と、流量調整を行う操作を、別々の操作部で夫々行う必要があるため、操作性が良くないという問題がある。
【０００９】
また、図１５に示した特開２００１−９８５９６号公報に記載された吐水装置の構造では、圧力室内の水密性を保つために、流量調整部材１１０とスリーブ１０９との間のシール部材１１０ａ、及び流量調整部材１１０と圧力室形成部材１０５の間のシール部材１０５ａが必要になる。このため、流量調整部材１１０を移動させるためには、これらのシール部材の摺動抵抗に打ち勝つ力で流量調整部材１１０を操作する必要がある。また、シール部材１１０ａ及びシール部材１０５ａは、比較的直径が大きいので、流量調整部材１１０を操作する際の摺動抵抗も大きくなる。
【００１０】
従って、特開２００１−９８５９６号公報に記載された吐水装置の構造では、流量調整部材が吐止水操作部の外側に位置しているため流量調整用の操作部が大型になってしまい、開閉弁装置又はそれを備えた水栓装置が大型化する。また、流量調整部材を操作する摺動抵抗も大きくなるので、流量調整を行うために大きな操作力を要するという課題がある。
【００１１】
従って、本発明は、同一の操作部を操作することによって、止水及び吐水操作と流量調整操作の両方を行うことができる開閉弁装置及びそれを備えた水栓装置を提供することを目的としている。
また、本発明は、流量調整機能を備えた小型の開閉弁装置及びそれを備えた水栓装置を提供することを目的としている。
【課題を解決するための手段】
【００１２】
上述した課題を解決するために、本発明は、止水状態と吐水状態を切り替え且つ吐水流量を調整することができる開閉弁装置であって、使用者の操作により、平行移動及び回転可能な操作部と、この操作部の操作により平行に移動され、止水状態と吐水状態を切り替える主弁体と、この主弁体が着座する弁座と、吐水状態となったとき主弁体と当接して主弁体と弁座の間の間隔を規制する流量調整部材と、操作部の回転操作により、流量調整部材を移動させる流量調整部材移動機構と、を有することを特徴としている。
【００１３】
このように構成された本発明においては、操作部を押圧操作して、操作部を平行に移動させると、主弁体が移動され、開閉弁装置の止水状態と吐水状態が切り替えられる。また、この操作部を回転操作して、操作部を回転させると、流量調整部材移動機構によって流量調整部材が移動される。流量調整部材は、吐水状態において、主弁体と当接することによって主弁体と弁座の間の間隔を規制するので、操作部を回転操作することによって開閉弁装置の吐水流量が調整される。
【００１４】
このように構成された本発明によれば、操作部の押圧操作により、止水、吐水を切り替えることができ、また、この操作部の回転操作により吐水流量を調整することができるので、開閉弁装置の操作性を改善することができる。また、一つの操作部で止水、吐水の切り替え及び流量調整ができるので、開閉弁装置全体を小型化することができる。
【００１５】
また、本発明は、止水状態と吐水状態を切り替え且つ吐水流量を調整することができる開閉弁装置であって、圧力開放穴を備え、止水状態と吐水状態を切り替える主弁体と、この主弁体が着座する弁座と、使用者の操作により、圧力開放穴を開閉するパイロット弁と、このパイロット弁によって圧力開放穴が閉鎖されると、内部の圧力が上昇して、主弁体を弁座の方へ移動させる圧力室と、この圧力室の内部に配置され、吐水状態となったとき主弁体と当接して主弁体と弁座の間の距離を規制する流量調整部材と、この流量調整部材を、使用者の操作により圧力室内で移動させる流量調整部材移動機構と、を有することを特徴としている。
【００１６】
このように構成された本発明においては、使用者の操作により主弁体の圧力開放穴が開閉され、圧力開放穴が閉鎖されると、圧力室内の圧力が高まって主弁体が弁座の方へ移動され、開閉弁装置は止水状態となる。また、圧力室内に配置された流量調整部材は、使用者の操作により圧力室内で移動される。流量調整部材は、吐水状態において、主弁体と当接することによって主弁体と弁座の間の間隔を規制するので、使用者の操作によって開閉弁装置の吐水流量が調整される。
【００１７】
このように構成された本発明によれば、流量調整部材が圧力室内に配置されているので、開閉弁装置全体を小型化することができる。また、流量調整部材が圧力室内に配置されているので、流量調整部材と他の部材との間に水密性を確保するためのシール部材を必要としないため、流量調整部材と他の部材との間の摺動抵抗が非常に小さくなり、流量調整部材を移動させるための操作力も小さくすることができる。
【００１８】
本発明において、好ましくは、さらに、操作部を有し、この操作部が押圧操作されると、パイロット弁が平行移動されて圧力開放穴が開閉され、操作部が回転操作されると、流量調整部材移動機構を介して流量調整部材が移動される。
【００１９】
このように構成された本発明においては、操作部を押圧操作すると主弁体の圧力開放穴が開閉されて、主弁体が移動し、開閉弁装置の止水状態と吐水状態が切り替えられる。また、操作部を回転操作すると、流量調整部材が移動され、開閉弁装置が吐水状態にあるときの主弁体と弁座の間隔が調整され、吐水流量が調整される。
【００２０】
また、本発明において、好ましくは、流量調整部材移動機構が、圧力室の外部から内部へ延び、且つ圧力室の内部で流量調整部材と係合する操作力伝達部材を有し、この操作力伝達部材を回転させると、流量調整部材が、操作力伝達部材の回転の軸線方向に平行移動される。
【００２１】
さらに、本発明において、好ましくは、操作力伝達部材は、操作部が回転操作されたとき操作部と共に回転されて流量調整部材を移動させ、また、操作力伝達部材は、操作部が押圧操作されたときには移動されないように、直接的又は間接的に操作部と連結されている。
【００２２】
このように構成された本発明においては、操作力伝達部材は、操作部が回転操作されたときは、その操作力を流量調整部材に伝達し、操作部が押圧操作されたときには、その操作力を他の部材に伝達しない。
【００２３】
また、本発明の水栓装置は、上記何れかの開閉弁装置と、この開閉弁装置を受け入れる水栓本体と、この水栓本体と連通する吐水口を備えたスパウト部又はシャワーヘッドと、を有することを特徴としている。
【発明の効果】
【００２４】
本発明の開閉弁装置及びそれを備えた水栓装置によれば、同一の操作部を操作することによって、止水及び吐水操作と流量調整操作の両方を行うことができる。
また、本発明の開閉弁装置及びそれを備えた水栓装置によれば、流量調整機能を備えながら、開閉弁装置又は水栓装置を小型化することができる。
【発明を実施するための最良の形態】
【００２５】
次に、添付図面を参照して、本発明の実施形態の水栓装置を説明する。
図１は、本発明の実施形態の水栓装置を組み込んだ流し台の全体を示す斜視図である。図２は、本発明の実施形態の水栓装置の水栓本体部の拡大斜視図であり、図３は、その断面図である。また、図４は、本発明の実施形態の水栓装置に組み込まれている開閉弁装置の斜視図であり、図５は、その吐水状態における断面図、図６は止水状態における断面図である。
【００２６】
図１に示すように、本発明の実施形態の水栓装置１は、シンク部４を備えた流し台２に組み込んで使用される。また、水栓装置１は、水栓から吐水される水温を調整する温調操作部６と、止水、吐水の切り替え及び流量調節を行う流調操作部８と、流量調整された水が吐水されるスパウト部９と、を有する。
【００２７】
図２は、水栓装置１の流調操作部８の拡大斜視図であり、流調操作部８は、本体部１０と、この本体部１０から上方に突出可能なハンドル部１２と、ハンドル部１２の周囲に配置された台座部１４と、本体部１０を流し台２等に取り付ける固定ナット１６と、を有する。また、本体部１０には、温調操作部６で温度調整された水を流調操作部８に流入させる流入配管１０ａと、流調操作部８で流量を調整した水を流出させる流出配管１０ｂが接続される。なお、流調操作部８は、水栓装置１を流し台２に組み込んだ際には、図１に示すように、台座部１４から下方の部分は流し台２の中に隠れる。使用において、まず、止水状態では、図２(ａ)に示すように、ハンドル部１２は、その周囲の台座部１４の上端部と面一の状態にあり、上方に突出していない。この状態から、ハンドル部１２を押圧操作すると、水栓装置１のスパウト部９から吐水が開始されると共に、図２(ｂ)に示すように、ハンドル部１２が上方に突出する。さらに、上方に突出したハンドル部１２を回転操作することにより、水栓装置１から吐出される水の流量を調整することができる。図２(ｂ)の状態から再びハンドル部１２を押圧操作することにより、ハンドル部１２は図２(ａ)に示す状態に戻り、止水される。ここで、もう一度ハンドル部１２を押圧操作して吐水させた場合には、先に調整した流量で水が再び吐水される。
【００２８】
図３は、流調操作部８の全断面図である。図３に示すように、流調操作部８は、その本体部１０の中に開閉弁装置２０を備えており、開閉弁装置２０は締付けナット２１により本体部１０に固定される。
【００２９】
図４は本体部１０の中に備えられた開閉弁装置２０の斜視図であり、図５はその吐水状態における全断面図、図６はその止水状態における全断面図である。
図４乃至図６に示すように、開閉弁装置２０は、操作部２２と、この操作部２２の内側に取り付けられたガイド部材２４と、このガイド部材２４の内側に挿入された操作力伝達部材２６と、を有する。さらに、開閉弁装置２０は、操作力伝達部材２６の下側に配置され、圧力室を形成する主弁体押え部材２８と、この主弁体押え部材２８の下側に配置されたバルブ台座部材３０と、以上の部材を包囲して、各部材を所定の位置に拘束するカバー３２と、を有する。
【００３０】
また、主弁体押え部材２８とバルブ台座部材３０の間には、主弁体３４が挟み込まれ、主弁体３４を所定の位置に位置決めしている。さらに、主弁体押え部材２８によって形成される圧力室の内部には、流量調整部材３６が、操作力伝達部材２６と螺合された状態で配置されている。また、ガイド部材２４の中心軸線上には、下方に向って押し棒３８が取り付けられている。この押し棒３８の下端にはパイロット弁４０が摺動自在に取り付けられ、このパイロット弁４０の先端にはパッキン４２が取り付けられている。
【００３１】
操作部２２は、上端部が閉鎖された概ね円筒状の形状であり、頂部にはハンドル部１２をネジ止めするためのネジ部２２ａが形成されている。また、操作部２２の側面は下方の直径が拡大されており、肩部２２ｂを構成している。
【００３２】
図７は、ガイド部材２４の斜視図である。ガイド部材２４は、円周上の４箇所が切り欠かれた概ね円筒状の形態を有する。ガイド部材２４の側面２箇所には爪部２４ａ（一つのみ図示）が形成されている。この爪部２４ａは、ガイド部材２４が操作部２２の中に受け入れられたとき、ガイド部材２４から半径方向外方に向って突出して、ガイド部材２４を操作部２２の中に固定する。これにより、ガイド部材２４は、操作部２２に対して、平行移動も、回転も拘束される。さらに、ガイド部材の上端面には、ハートカム機構を構成するピン部材４４を受け入れるための溝２４ｂが形成されている。ハートカム機構については後述する。
【００３３】
図８（ａ）は操作力伝達部材２６の斜視図であり、（ｂ）は、上面図である。図８に示すように、操作力伝達部材２６は、概ね十字型の断面を有する上側部２６ａと、この上側部２６ａの下に形成された概ね円板状の鍔部２６ｂと、この鍔部２６ｂの下側に形成された雄ねじ山を有する下側部２６ｃと、を有する。十字型断面の上側部２６ａは、ガイド部材２４の中に摺動自在に受け入れられる。従って、操作力伝達部材２６は、ガイド部材２４に対して軸線方向に摺動することは許容されるが、ガイド部材２４に対する回転は拘束される。また、上側部２６ａの両側側面には、概ね門形に折り曲げられたピン部材４４の先端を受け入れるためのハートカム溝２６ｄが形成されている。操作力伝達部材２６の中心軸線上には、操作力伝達部材２６を貫通するボア２６ｅが形成されている。さらに、操作力伝達部材２６の鍔部２６ｂと操作部２２の肩部２２ｂとの間には、付勢用バネ４６が配置されており、操作部２２を操作力伝達部材２６に対して上方に付勢している。
【００３４】
図９は、主弁体押え部材２８の斜視図である。主弁体押え部材２８は、上端面が閉鎖した概ね円筒状の形状を有し、上端面には操作力伝達部材２６の下側部２６ｃを通すための穴２８ａが形成されている。この穴２８ａと操作力伝達部材２６の下側部２６ｃとの間には、Ｏリング４８が配置され、圧力室内の水密性を保持している。また、主弁体押え部材２８の内側円周面の上方には、三角形断面の歯形を有するスプライン２８ｂが形成されている。さらに、主弁体押え部材２８の下端面には、主弁体３４を押さえるための環状の溝２８ｃが形成されている。
【００３５】
図１０は、流量調整部材３６の斜視図である。流量調整部材３６は、概ねドーナツ形の円板状であり、その外周部には主弁体押え部材２８に形成されたスプライン２８ｂと係合するスプライン３６ａが形成されており、その内周部には操作力伝達部材２６の下側部２６ｃに形成された雄ねじ山と螺合される雌ネジ部３６ｂが形成されている。また、流量調整部材３６の円周上の１箇所には、クリーニングピン５０を通す穴３６ｃが形成されている。従って、流量調整部材３６は、主弁体押え部材２８の内部に配置されると、スプライン２８ｂとスプライン３６ａが係合して、主弁体押え部材２８に対する回転が拘束される。また、流量調整部材３６は、雌ネジ部３６ｂが操作力伝達部材２６の雄ねじ山と螺合されているので、操作力伝達部材２６が主弁体押え部材２８に対して回転されると、軸線方向に平行移動される。操作力伝達部材２６と主弁体押え部材２８に形成されたスプライン２８ｂは、流量調整部材移動機構を構成する。
【００３６】
図１１は、主弁体３４の斜視図である。主弁体３４は概ね円板状であり、その中心部には圧力開放穴３４ａが形成され、外周部にはダイヤフラム部３４ｂが構成されている。ダイヤフラム部３４ｂの最外周部は、主弁体押え部材２８の下端面に形成された環状の溝２８ｃの中に受け入れられ、主弁体３４と主弁体押え部材２８の間の水密性が確保されている。また、主弁体３４の円周上の１箇所には、クリーニングピン５０を通す穴３４ｃが形成されている。クリーニングピン５０は、主弁体３４の穴３４ｃを貫通するように配置され、穴３４ｃの詰まりを防止する。
【００３７】
バルブ台座部材３０は、下部で連結された二重の円筒状の形状を有し、主弁体押え部材２８の下側に配置される。外側の円筒の側面には、水が流入する流入口３０ａが４つ形成されており、外側の円筒の上端部と主弁体押え部材２８の下端面との間に主弁体３４が挟まれる。また、内側の円筒の上端は、主弁体３４が着座する弁座３０ｂとして形成されている。流入口３０ａから流入した水は、一旦上方へ上り、弁座３０ｂと主弁体３４との間を通って内側の円筒の中に入り、内側の円筒の下端から流出するように構成されている。
【００３８】
図１２（ａ）は、カバー３２を側方から見た斜視図であり、（ｂ）は斜め下方から見た斜視図である。カバー３２は、下側が拡張した段付きの円筒状の形状を有する。カバー３２の上端には縁部３２ａが形成されており、この縁部３２ａには、カバー３２の内部に受け入れられた操作部２２の外側の段部が係合するようになっている。また、カバー３２の側面２箇所には、長孔３２ｂ（１つのみ図示）が形成されており、主弁体押え部材２８の側面２箇所から外方に突出した爪部２８ｄ（１つのみ図示）を受け入れるようになっている。さらに、舌部３２ｃが、カバー３２の下端２箇所から下方に延びており、この舌部３２ｃにも長孔３２ｄが夫々形成されている。この長孔３２ｄは、バルブ台座部材３０の上部側面２箇所から外方に突出した爪部３０ｃを受け入れるようになっている。各長孔３２ｂ、３２ｄが各爪部２８ｄ、３０ｃを夫々受け入れることにより、主弁体押え部材２８及びバルブ台座部材３０は、カバー３２の中の適所に保持される。また、これにより、ガイド部材２４及び操作力伝達部材２６も、操作部２２と主弁体押え部材２８の間に挟まれて適所に保持される。
【００３９】
操作部２２及びガイド部材２４は、カバー３２によって、上下方向の平行移動及び軸線を中心とする回転可能に保持される。操作力伝達部材２６はガイド部材２４に対する回転が拘束されているので、操作部２２及びガイド部材２４が回転されると、操作力伝達部材２６はそれらと共に回転される。また、操作力伝達部材２６は、その鍔部２６ｂの最外周部が、カバー３２の内側の段部３２ｅと係合しているので、上下方向の平行移動はカバー３２によって拘束されている。さらに、カバー３２の段部３２ｅには、ストッパー３２ｆが形成されており、このストッパー３２ｆは、操作力伝達部材２６の外周部に設けられた第１ストッパー当接部２６ｆ及び第２ストッパー当接部２６ｇと当接するようになっている。従って、操作力伝達部材２６のカバー３２に対する回転は、ストッパー３２ｆの一方の端部と第１ストッパー当接部２６ｆが当接する位置から、ストッパー３２ｆの他方の端部と第２ストッパー当接部２６ｇが当接する位置までの範囲に限定される。操作部２２及びガイド部材２４の操作力伝達部材２６に対する回転は拘束されているので、操作部２２及びガイド部材２４の回転もこの範囲に限定される。
【００４０】
また、カバー３２の底部３２ｇの一部は、主弁体押え部材２８と直接当接するように構成されている。このため、締付けナット２１によって開閉弁装置２０を本体部１０に取り付ける際に、締付けナット２１がカバー３２を下方に押さえつけたとしても、カバー３２と主弁体押え部材２８の間には所定の隙間が確保されるので、操作力伝達部材２６の鍔部２６ｂがカバー３２と主弁体押え部材２８の間に挟まれて、操作力伝達部材２６の回転が阻害されることはない。
【００４１】
押し棒３８は、その上端がガイド部材２４の中心に取り付けられ、下端は、操作力伝達部材２６のボア２６ｅの中へ延びている。押し棒３８とボア２６ｅの間には、Ｏリング５２が配置され、圧力室内部の水密性が確保されている。押し棒３８の下端には拡張部３８ａが形成されている。
【００４２】
パイロット弁４０は概ね円柱状の形状を有し、操作力伝達部材２６のボア２６ｅの中に配置されている。パイロット弁４０の内部には中空部４０ａが形成されており、中空部４０ａは、押し棒３８下端の拡張部３８ａを摺動可能に受け入れている。また、中空部４０ａの中には、コイルバネ５４が配置されており、押し棒３８を、パイロット弁４０に対して上方に付勢している。また、パイロット弁４０の下端には、パッキン４２が取り付けられている。パイロット弁４０が下方に押し下げられると、パッキン４２が主弁体３４に当接して、圧力開放穴３４ａを閉鎖するように構成されている。
【００４３】
なお、本実施形態においては、主弁体３４の上側の面、主弁体押え部材２８の内壁面、及び操作力伝達部材２６のボア２６ｅの内壁によって囲まれた空間が、圧力室として作用する。主弁体３４と主弁体押え部材２８の間は、主弁体３４のダイヤフラム部３４ｂの最外周部が、主弁体押え部材２８の環状の溝２８ｃの中に嵌め込まれることによって水密性が確保されている。また、主弁体押え部材２８と操作力伝達部材２６の間の水密性はＯリング４８によって、操作力伝達部材２６のボア２６ｅと押し棒３８の間の水密性はＯリング５２によって水密性が確保されている。流量調整部材３６は、このように水密性が確保された圧力室の内部に配置されているので、流量調整部材３６と他の部材との間の水密性を確保する必要はなく、流量調整部材３６にＯリング等の部材を取り付ける必要はない。
【００４４】
次に、図８を参照して、ハートカム機構について説明する。ハートカム機構は操作力伝達部材２６の上側部２６ａに形成されたハートカム溝２６ｄと、ガイド部材２４に保持されたピン部材４４によって構成される。ハートカム機構は、ピン部材４４の下端の内側に折り曲げられた端部４４ａが、ハートカム溝２６ｄ内の種々の位置を取ることによって、操作部２２を所定の位置に保持するものである。まず、開閉弁装置２０が止水状態にある場合には、ピン部材４４の端部４４ａは、ハートカム溝２６ｄのＡの位置に保持されている。次いで、付勢用バネ４６の付勢力に抗して、操作部２２を最大押し込み位置まで押し込むと、ピン部材４４は操作部２２と共に押し下げられ、ピン部材４４の端部４４ａは、ハートカム溝２６ｄの下方のＢの位置に移動する。この状態で操作部２２から手を放すと、操作部２２は、付勢用バネ４６の付勢力によって、操作部２２の外側の段部とカバー３２の縁部３２ａが係合する位置まで押し上げられる。このとき、ピン部材４４の端部４４ａは、ハートカム溝２６ｄの上方のＣの位置に移動し、開閉弁装置２０は、吐水状態となる。この吐水状態から、付勢用バネ４６の付勢力に抗して、操作部２２を最大押し込み位置まで押し込むと、ピン部材４４は操作部２２と共に押し下げられ、ピン部材４４の端部４４ａは、ハートカム溝２６ｄの下方のＤの位置に移動する。この状態で操作部２２から手を放すと、操作部２２は、付勢用バネ４６の付勢力によって上方に押し上げられるが、この際、ピン部材４４の端部４４ａが、ハートカム溝２６ｄのＡの位置に保持されるため、操作部２２もこの位置に保持され、止水状態となる。
【００４５】
次に、図５、図６、図１３及び図１４を参照して、本発明の実施形態による水栓装置１の作用を説明する。図６は、止水状態にある開閉弁装置２０を示し、図５は吐水流量を最大にした吐水状態の開閉弁装置２０を示し、図１３はこの状態における図５のXIII−XIII断面を示す図である。また、図１４（ａ）は、吐水流量を最少にした吐水状態の開閉弁装置２０の全断面図であり、（ｂ）はこの状態における（ａ）のXIVb−XIVb断面を示す図である。
【００４６】
まず、図６に示す止水状態においては、ピン部材４４の端部４４ａは、ハートカム溝２６ｄのＡの位置に保持されており、この位置では、ハンドル部１２は、図２（ａ）に示すように台座部１４と同一面上にある。また、この位置では、パイロット弁４０のパッキン４２は、主弁体３４に当接して、圧力開放穴３４ａを閉鎖している。圧力開放穴３４ａが閉鎖された状態においては、流入口３０ａから穴３４ｃを通って圧力室内に流入した水は、流出することができないので、圧力室内の圧力が高くなり、主弁体３４は弁座３０ｂに押し付けられて、開閉弁装置２０が閉鎖される。
【００４７】
次に、ハンドル部１２を一旦押圧して手を放すと、ピン部材４４の端部４４ａは、ハートカム溝２６ｄのＣの位置に移動し、図５に示すように、操作部２２も上方に移動する。このとき、ハンドル部１２は、図２（ｂ）に示す突出した状態になる。この状態では、パイロット弁４０も押し棒３８によって操作部２２と共に上方に引き上げられるので、パイロット弁４０のパッキン４２は、主弁体３４から離れ、圧力開放穴３４ａが開放される。圧力開放穴３４ａが開放された状態では、穴３４ｃを通って圧力室内に流入した水は、圧力開放穴３４ａを通って流出するので、圧力室内の圧力は低下する。圧力室内の圧力が低下すると、主弁体３４を弁座３０ｂに押し付ける力が作用しなくなり、主弁体３４は上方に移動する。上方に移動した主弁体３４は、圧力室内に配置されている流量調整部材３６に当接した位置で保持される。主弁体３４が弁座３０ｂから離れて開閉弁装置２０が開くと、流入口３０ａから流入した水は、弁座３０ｂを通って下方に流出し、スパウト部９の吐水口から吐水される。
【００４８】
図５に示す吐水状態では、流量調整部材３６は、圧力室内で最も上方の位置にあるので、流量調整部材３６に当接する位置にある主弁体３４は、弁座３０ｂから最も離れた位置にある。この状態では、開閉弁装置２０からの吐水流量が最も多くなる。また、図５に示す流量調整部材３６が最も上方の位置にある状態では、図１３に示すように、カバー３２のストッパー３２ｆの一方の端部と、操作力伝達部材２６の第２ストッパー当接部２６ｇが当接するので、カバー３２に対して操作力伝達部材２６を、流量調整部材３６を上方に移動させる方向にそれ以上回転させることができなくなる。
【００４９】
吐水状態において、ハンドル部１２を回転させると（図３参照）、ハンドル部１２に固定された操作部２２、操作部２２に固定されたガイド部材２４、及びガイド部材２４に対する回転が拘束された操作力伝達部材２６も共に回転される。操作力伝達部材２６が回転されると、内周が操作力伝達部材２６の下側部２６ｃに螺合され、外周が主弁体押え部材２８のスプライン２８ｂによって回転を拘束されている流量調整部材３６は、圧力室の内部で上下方向に平行移動される。図５及び図１３に示す状態から、ハンドル部１２を右に回転させると、操作力伝達部材２６も右に回転し、流量調整部材３６は下方に移動する。操作力伝達部材２６を右に回転させていくと、図１４（ｂ）に示すように、操作力伝達部材２６の第１ストッパー当接部２６ｆは、カバー３２のストッパー３２ｆの他方の端に当接し、これ以上右に回転させることができなくなる。この状態では、図１４（ａ）に示すように、流量調整部材３６は、最も下方の位置に移動する。図１４（ａ）に示す状態では、流量調整部材３６に当接する主弁体３４は、弁座３０ｂに非常に近い位置に保持されるので、主弁体３４の圧力開放穴３４ａが開放された開弁状態であっても、開閉弁装置２０から吐水される流量は非常に少なくなる。本実施形態においては、第１ストッパー当接部２６ｆにより、流量調整部材３６が主弁体３４と弁座３０ｂの間に僅かに隙間ができる位置までしか移動できないように、操作力伝達部材２６の回転を規制しているので、吐水流量を最も少なくした状態においても、毎分約１リットルの水が吐水される。このため、吐水量を最も絞った状態においても、開閉弁装置２０が吐水状態にあることが、水栓装置１の使用者に認識される。また、第１ストッパー当接部２６ｆによって操作力伝達部材２６の回転を規制しているので、操作力伝達部材２６の回転により流量調整部材３６を介して主弁体３４を弁座３０ｂに押し付けることがないので、操作力伝達部材２６に大きな力が作用することはない。
【００５０】
次に、吐水状態において、ハンドル部１２を再び押圧操作すると、ピン部材４４の端部４４ａは、ハートカム溝２６ｄのＡの位置に移動し、図６に示すように、操作部２２も下方に移動する。このとき、ハンドル部１２は、図２（ａ）に示すように台座部１４と同一面上にある状態になる。この状態では、パイロット弁４０も押し棒３８によって操作部２２と共に下方に押し下げられるので、パイロット弁４０のパッキン４２が主弁体３４の圧力開放穴３４ａを閉鎖し、主弁体３４も閉鎖される。また、流量調整部材３６の位置は、ハンドル部１２の押圧操作によって変化しないので、ハンドル部１２をもう一度押圧操作して、開閉弁装置２０を吐水状態としたときには、前回設定された吐水流量で吐水される。
【００５１】
本発明の実施形態の水栓装置によれば、ハンドル部１２（操作部２２）を押圧操作することにより止水と吐水を切り替え、また、ハンドル部１２（操作部２２）を回転操作することにより、吐水流量を調整することができる。即ち、単一の操作部の押圧操作及び回転操作により、止水、吐水及び流量の調整を行うことができる。また、流量調整部材３６を圧力室の内部に配置しているため、開閉弁装置２０全体を小型化することができる。また、流量調整部材３６を圧力室の内部に配置したため、操作力伝達部材２６と主弁体押え部材２８の間の水密性を確保するためのシール部材であるＯリングを小型化することが可能になる。これにより、流量調整部材３６を移動させるために操作部を回転させる際の摺動抵抗を小さくすることができるので、操作部を小型に設計することが可能になる。
【００５２】
上述した実施形態では、水栓装置は、温調操作部及びスパウト部を備えていたが、温調操作部は省略することもできる。また、水栓装置は、スパウト部に加えて、或いは、スパウト部の代りにシャワーヘッドを備えていても良い。
【００５３】
また、上述した実施形態では、操作力伝達部材と流量調整部材が螺合され、流量調整部材は主弁体押え部材に構成されたスプラインによってその回転を拘束されていたが、変形例として、この関係を逆にすることもできる。即ち、操作力伝達部材と流量調整部材の間にスプラインを形成してそれらの間の相対的な回転を拘束し、流量調整部材の外周に雄ネジを、主弁体押え部材に雌ネジを形成してそれらを螺合させても良い。この変形例においては、回転操作によって操作力伝達部材が回転されると、流量調整部材も共に回転され、流量調整部材の外周のネジの作用によって流量調整部材が平行に移動される。
【図面の簡単な説明】
【００５４】
【図１】本発明の実施形態の水栓装置を組み込んだ流し台を示す斜視図である。
【図２】本発明の実施形態の水栓装置の水栓本体部の拡大斜視図である。
【図３】本発明の実施形態の水栓装置の水栓本体部の断面図である。
【図４】本発明の実施形態の水栓装置に組み込まれている開閉弁装置の斜視図である。
【図５】本発明の実施形態の水栓装置に組み込まれている開閉弁装置の吐水状態における断面図である。
【図６】本発明の実施形態の水栓装置に組み込まれている開閉弁装置の止水状態における断面図である。
【図７】ガイド部材の斜視図である。
【図８】操作力伝達部材の（ａ）斜視図、及び（ｂ）上面図である。
【図９】主弁体押え部材の斜視図である。
【図１０】流量調整部材の斜視図である。
【図１１】主弁体の斜視図である。
【図１２】カバーの（ａ）側方から見た斜視図、及び（ｂ）は斜め下方から見た斜視図である。
【図１３】図５のXIII−XIII線に沿って切断された断面を示す図である。
【図１４】吐水流量を最少にした吐水状態の開閉弁装置の（ａ）全断面図、及び（ｂ）（ａ）のXIVb−XIVb線に沿って切断された断面を示す図である。
【図１５】従来の流量調整機能を有する開閉弁装置の断面図である。
【符号の説明】
【００５５】
１      本発明の実施形態の水栓装置
２      流し台
４      シンク部
６      温調操作部
８      流調操作部
１０    本体部
１２    ハンドル部
１４    台座部
１６    固定ナット
２０    開閉弁装置
２２    操作部
２２ａ  ネジ部
２２ｂ  肩部
２４    ガイド部材
２６    操作力伝達部材
２６ｄ  ハートカム溝
２６ｅ  ボア
２６ｆ  第１ストッパー当接部
２６ｇ  第２ストッパー当接部
２８    主弁体押え部材
２８ｂ  スプライン
３０    バルブ台座部材
３２    カバー
３２ｆ  ストッパー
３４    主弁体
３６    流量調整部材
３６ａ  スプライン
３８    押し棒
４０    パイロット弁
４２    パッキン
４４    ピン部材
４６    付勢用バネ
４８    Ｏリング
５０    クリーニングピン
５２    Ｏリング
５４    コイルバネ
１００  従来の吐水装置
【図１】
2005264979.tif 000003
【図２】
2005264979.tif 000004
【図３】
2005264979.tif 000005
【図４】
2005264979.tif 000006
【図５】
2005264979.tif 000007
【図６】
2005264979.tif 000008
【図７】
2005264979.tif 000009
【図８】
2005264979.tif 000010
【図９】
2005264979.tif 000011
【図１０】
2005264979.tif 000012
【図１１】
2005264979.tif 000013
【図１２】
2005264979.tif 000014
【図１３】
2005264979.tif 000015
【図１４】
2005264979.tif 000016
【図１５】
2005264979.tif 000017